(57)【要約】【課題】竪樋の設置が容易で施工性に優れ、かつ、デザイン性に優れた竪樋用控え具を提供すること。【解決手段】建物の外壁面１６に固定される支持固定部２と、この支持固定部に接続されて竪樋１７を把持する把持部１０を備えた竪樋用控え具１であって、把持部は、半円弧状に形成され、一端に支持固定部に接続するヒンジ８と、他端に支持固定部に設けられた係止部６に係止可能な被係止部１１を備えるとともに、ヒンジを軸として回動自在に軸支され、把持部の被係止部に設けられた鋸歯状の爪部１２と、支持固定部の係止部に設けられた凸部７により、把持部を一方向のみに回動可能とする係合が形成される。【選択図】図１
2017031575.tif 000002
【特許請求の範囲】
【請求項１】
建物の外壁面に固定される支持固定部と、この支持固定部に接続されて竪樋を把持する把持部を備えた竪樋用控え具であって、
前記把持部は、半円弧状に形成され、一端に前記支持固定部に接続するヒンジと、他端に前記支持固定部に設けられた係止部に係止可能な被係止部を備えるとともに、前記ヒンジを軸として回動自在に軸支され、
前記把持部の前記被係止部に設けられた鋸歯状の爪部と、前記支持固定部の前記係止部に設けられた凸部により、前記把持部を一方向のみに回動可能とする係合が形成されることを特徴とする竪樋用控え具。
【請求項２】
前記支持固定部に、前記係止部と前記被係止部の係合を解除するための可動部が形成されたことを特徴とする請求項１に記載の竪樋用控え具。
【請求項３】
前記被係止部に、前記爪部の高さを変位させるための抜き部が形成されたことを特徴とする請求項１又は２に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、竪樋を把持して支持するために、壁面に固定する固定部とその前方に設けられた半円弧状の支持部と、この支持部の一端に、ヒンジにより接合された開閉自在の把持部とを備えた構造のものが知られている（例えば、特許文献１、２を参照）。
【０００３】
これらの竪樋用控え具では、支持部の他端に係止部が設けられ、把持部の遊端に被係止部が形成され、これら係止部と被係止部の接合により竪樋を支持部の内側に配設した状態で把持するように構成されている。
【０００４】
特許文献１に記載の竪樋控え具では、被係止部に対して係止力が異なる複数の係止爪を設けることにより、径の大きな竪樋を確実に把持するようにしている。
【０００５】
また、特許文献２に記載の竪樋控え具では、各部材を構成する材料の熱可塑性樹脂にメタリック材を含有させることにより、外観デザインを向上させるとともに耐久性の向上を図っている。
【０００６】
一方、近年、住宅用の竪樋用控え具に関しては、竪樋の設置が容易であり、施工性に優れた竪樋控え具が要求されている。
【先行技術文献】
【特許文献】
【０００７】
【特許文献１】特開２００３−２９３５３３号公報
【特許文献２】特開２００９−１３８５０２号公報
【発明の概要】
【発明が解決しようとする課題】
【０００８】
これに対して、上記特許文献１、２に記載の竪樋控え具においては、いずれも支持部と把持部は一般に用いられるヒンジにより接合されているため、施工時には把持部を開いた状態で竪樋を支持部の内側に配設し、その後に把持部を被せて係止する必要がある。即ち、竪樋を設置する際には、初めに把持部を開いた状態としておくことが必須の条件となっている。
【０００９】
そのため、例えば、竪樋控え具を外壁面に対して縦方向に複数設置し、それに沿って長手の竪樋を設置する場合には、まず、把持部が全て開いていることを確認した上で竪樋を載置する必要があるため、施工作業が煩雑になるといった問題があった。
【００１０】
本発明は、上記従来の問題点に鑑みてなされたものであり、竪樋の設置が容易で施工性に優れ、かつ、デザイン性に優れた竪樋用控え具を提供することを課題とする。
【課題を解決するための手段】
【００１１】
本発明は、上記の課題を解決するために、以下のことを特徴としている。
【００１２】
すなわち、本発明の竪樋用控え具は、建物の外壁面に固定される支持固定部と、この支持固定部に接続されて竪樋を把持する把持部を備えた竪樋用控え具であって、前記把持部は、半円弧状に形成され、一端に前記支持固定部に接続するヒンジと、他端に前記支持固定部に設けられた係止部に係止可能な被係止部を備えるとともに、前記ヒンジを軸として回動自在に軸支され、前記把持部の前記被係止部に設けられた鋸歯状の爪部と、前記支持固定部の前記係止部に設けられた凸部により、前記把持部を一方向のみに回動可能とする係合が形成されることを特徴とする。
【発明の効果】
【００１３】
本発明によれば、竪樋の設置が容易で施工性に優れ、かつ、デザイン性に優れた竪樋用控え具を提供することが可能となる。
【図面の簡単な説明】
【００１４】
【図１】本発明の竪樋用控え具の一実施形態の概略斜視図である。
【図２】把持部の回動した位置を示した概略斜視図であり、（Ａ）は支持部の前方が開いた位置に把持部が回動した状態であり、（Ｂ）は支持部の前方に把持部が回動した状態であり、（Ｃ）は一対の支持部と一対の接続部の間に把持部が回動した状態である。
【図３】係止部と被係止部の係止状態を示す概略図である。
【図４】被係止部の他の実施形態を示す概略図である。
【発明を実施するための形態】
【００１５】
以下、発明を実施するための形態を示し、本発明の竪樋用控え具をさらに詳細に説明する。
【００１６】
図１に本発明の竪樋用控え具の一実施形態の概略斜視図を示す。
【００１７】
本実施形態の竪樋用控え具１は、建物の外壁面１６に固定される支持固定部２と、この支持固定部２に接続されて竪樋１７を把持する把持部１０を備えた竪樋用控え具１である。把持部１０は、半円弧状に形成され、一端に支持固定部２に接続するヒンジ８と、他端に支持固定部２に設けられた係止部６に係止可能な被係止部１１を備えるとともに、ヒンジ８を軸として回動自在に軸支されている。そして、把持部１０の被係止部１１に設けられた鋸歯状の爪部１２と、支持固定部２の係止部６に設けられた凸部７により、把持部１０を一方向のみに回動可能とする係合が形成されるものである。
【００１８】
本実施形態の竪樋用控え具１は、建物の外壁面１６に沿って竪樋１７を支持固定するために用いられるものであり、少なくとも、支持固定部２及び把持部１０を備えている。
【００１９】
支持固定部２は、建物の外壁面１６に固定する固定部３と、竪樋１７を支持する半円弧状の支持部５、５’と、固定部３と支持部５、５’を接続するための接続部４、４’から構成されている。
【００２０】
固定部３は、建築物の外壁面１６に竪樋用控え具１を固定する部材である。固定部３の形状は、固定する外壁面１６の材質や状態によって適宜決定することができる。また、外壁面１６に対する固定部３の固定方法は、固定部３が容易に外れない固定方法であれば特に制限はなく、例えば、接着剤、釘、ねじ等により固定することができる。本実施形態では、固定部３に形成された固定孔にねじ９を通して外壁面１６に固定するようになっている。
【００２１】
支持部５、５’は、竪樋１７を内側に配設できるように半円弧状の形状に形成され、接続部４、４’を介して固定部３に接続されている。本実施形態の竪樋用控え具１では、接続部４、４’及び支持部５、５’は、一対の接続部４、４’と一対の支持部５、５’が所定の間隔を置いて配設された構成となっている。また、支持部５、５’の一端には、把持部１０を係止するための係止部６が設けられており、係止部６の内側には凸部７が設けられている。
【００２２】
なお、固定部３、接続部４、４’及び支持部５、５’は、それぞれ別体に成形したものを接続して支持固定部２としてもよいが、接続部４、４’と支持部５、５’を一体に成形したものを固定部３と接続したり、全てを一体に成形して支持固定部２とすることもできる。
【００２３】
把持部１０は、竪樋１７を把持するための半円弧状の部材であり、その一端は支持部５、５’の一端とヒンジ８により回動自在に軸支されており、所定の間隔を置いて配設された一対の接続部４、４’と一対の支持部５、５’の間を通過して一回転以上回動可能となっている。
【００２４】
また、把持部１０の他端には、支持部５、５’の他端に設けられた係止部６と係止可能な被係止部１１が設けられており、被係止部１１の外側には爪部１２が形成されている。即ち、支持部５、５’と把持部１０の係止は、図３に示すように、支持部５、５’の係止部６に形成された内側の凸部７と、把持部１０の被係止部１１の外側に形成された爪部１２の相補的な係合により係止される。
【００２５】
ここで、被係止部１１に形成された爪部１２は鋸歯状に形成されており、図３における矢印（ｂ）方向には爪部１２が凸部７を乗り越えて進むことができるが、矢印（ｂ）の逆方向には爪部１２の返しが作用して戻れないようになっている。即ち、ヒンジ８を軸とする把持部１０の回動は、一方向には許されるが、その逆方向には許されないようになっている。
【００２６】
竪樋用控え具１を構成する上記各部材の材質は、強度を有するものであれば特に制限はなく、例えば、樹脂やゴム、薄手のアルミやステンレス等の金属により形成することができる。また、これらを複合的に組み合わせて用いることもできる。
【００２７】
また、本実施形態においては、支持固定部２に、係止部６と被係止部１１の係合を解除するための可動部１３を形成することが好ましい。具体的には、図３に示すように、支持部５、５’に設けられた係止部６の付け根付近に係止部６が矢印（ａ）方向に弾性変形可能な可動部１３を設ける。これにより、爪部１２の係合を容易に解除することが可能となり、竪樋用控え具１のメンテナンス、また、竪樋１７の交換やメンテナンス等を容易に行うことが可能となる。
【００２８】
なお、可動部１３は、係止部６を矢印（ａ）方向に弾性変形できれば特に限定されるものではなく、例えば、可動部１３を他の部分よりも可撓性を有する部材で形成したり、肉厚を薄く設定することにより形成することができる。
【００２９】
また、本実施形態においては、被係止部１１に爪部１２の高さを変位させるための抜き部１４を形成することが好ましい。具体的には、図４に示すように、被係止部１１における爪部１２の内側に爪部１２の高さを変位できるように抜き部１４を形成し、さらに、爪部１２に係合解除片１５を形成する。
【００３０】
抜き部１４の寸法や位置は、凸部７と係合した爪部１２の高さを低く変位させ、解除できれば特に制限はないが、例えば、爪部１２の先端部分に負荷がかかった状態において被係止部１１が破損しない程度の寸法や位置が考慮される。
【００３１】
このように、爪部１２の内側に弾性変形するように抜き部１４を形成することにより、爪部１２の高さを容易に低く変位できるため、係止部６の凸部７を乗り越えて係合させやすくできる。
【００３２】
また、係止部６と被係止部１１が係合した状態から、係合解除片１５を図４の矢印（ｃ）方向に押して爪部１２の高さを低くすることにより、爪部１２を係止部６の凸部７の係合を容易に解除することができる。これにより、一度係合させた把持部１０を外すことが可能となり、設置した竪樋１７の交換やメンテナンス等をさらに容易に行うことが可能となる。
【００３３】
なお、支持固定部２に係止部６と被係止部１１の係合を解除するための可動部１３を形成した構成と、被係止部１１に爪部１２の高さを変位させるための抜き部１４を形成した構成は、少なくともいずれかの構成を採用することにより、同様の効果を得ることができる。
【００３４】
竪樋用控え具１による竪樋１７の設置は、以下のように施工することができる。
【００３５】
まず、外壁面１６の所定の位置に、固定部３の固定により竪樋用控え具１を設置する。固定部３の固定方法は、固定する外壁面１６の材質や状態によって適宜決定することができる。
【００３６】
次に、支持固定部２の前方側から外壁面１６方向に竪樋１７を押して支持部５、５’の内側に竪樋１７を当接させる。この際、把持部１０はヒンジ８を軸として回動するため、把持部１０の位置を考慮する必要がない。即ち、竪樋１７を載置する際の把持部１０の位置は、図２（Ａ）〜（Ｃ）のいずれの位置の状態であっても構わない。
【００３７】
例えば、把持部１０が図２の（Ｂ）や（Ｃ）のような位置であっても、竪樋１７を支持部５、５’に当接させることにより、把持部１０が押されて回動し、竪樋１７の前方の位置に移動する。そして、この状態から、さらに把持部１０を回動させることにより、被係止部１１の爪部１２は、係止部６の凸部７を乗り越えて係合する。
【００３８】
これら一連の竪樋用控え具１の動作により、確実に竪樋１７を竪樋用控え具１に把持させることができる。また、被係止部１１の爪部１２は鋸歯状の形状となっており返しが設けられているため、把持部１０の回動の進行方向とは逆方向の移動は返しが機能して戻らない。これにより、一度強固に把持した竪樋１７は容易に外れることがない。
【００３９】
このような本発明の竪樋用控え具１の構成によれば、竪樋１７の設置が容易で施工性に優れた竪樋用控え具１とすることができる。
【００４０】
以上、本発明の竪樋用控え具を実施形態に基づいて説明したが、本発明の竪樋用控え具は上記の実施形態に限定されるものではなく、その要旨を逸脱しない範囲内において種々の変更が可能である。
【００４１】
例えば、上記実施形態では、接続部４、４’及び支持部５、５’を一対の接続部４、４’と一対の支持部５、５’により、所定の間隔を置いて配設し、把持部１０を所定の間隔の間に通過させて回動可能としたが、接続部４、４’及び支持部５、５’を一本の構成とすることもできる。
【００４２】
なお、接続部４、４’及び支持部５、５’を一本の構成とする場合には、ヒンジ８による把持部１０の接続は、支持部５、５’に片持ちで軸支することにより一回転以上の回動を可能にすることが考慮される。
【００４３】
また、上記実施形態では、係止部６の凸部７及び被係止部１１の爪部１２をそれぞれ１個ずつ設けたが、係止部６の凸部７又は被係止部１１の爪部１２の少なくともいずれかを複数設ける構成とすることもできる。凸部７又は爪部１２を複数設けることにより、把持する竪樋１７の把持強度を調整したり、種々の径の竪樋１７も把持可能な竪樋用控え具１とすることができる。
【００４４】
本発明の竪樋用控え具は上記の構成を備えているので、竪樋の設置が容易で施工性に優れるとともに、高いデザイン性を有し、種々の外径や断面形状の竪樋も確実に把持することが可能となる。
【００４５】
また、構造がシンプルであり、竪樋の把持作業が非常に簡便に行えるので、竪樋の仮止め部材としても使用可能である。
【符号の説明】
【００４６】
１  竪樋用控え具
２  支持固定部
６  係止部
７  凸部
８  ヒンジ
１０  把持部
１１  被係止部
１２  爪部
１３  可動部
１４  抜き部
１６  外壁面
１７  竪樋
【図１】
2017031575.tif 000003
【図２】
2017031575.tif 000004
【図３】
2017031575.tif 000005
【図４】
2017031575.tif 000006